(57)【特許請求の範囲】
【請求項１】
本体と、蓋部と、前記本体側に設けられた支持部材と前記蓋部側に設けられた支持部材とに係合し、開蓋状態で前記蓋部を停止させる第１保持部と閉蓋動作の途中で前記蓋部を一時的に停止させる第２保持部とを有する溝穴を形成してなるストッパと、を具備し、前記溝穴は、当該溝穴の内周部と前記本体側に設けられた支持部材との当接点が閉蓋動作に応じ前記第１保持部側から前記第２保持部側に移動するにつれて徐々に狭くなるように、前記本体側に設けられた支持部材と当接することにより弾性変形する上部アームと下部アームとの間の空間により形成し、前記上部アームと前記下部アームとのいずれか一方の肉厚を他方の肉厚より大きくなるように構成したことを特徴とする開閉装置。
【請求項２】
前記第２保持部を前記溝穴の蓋側端部近傍に設けたことを特徴とする請求項１記載の開閉装置。
【発明の詳細な説明】
【０００１】
【発明の属する技術分野】
本発明は、ファクシミリ装置等の蓋部の開閉装置に関する。
【０００２】
【従来の技術】
従来から、ファクシミリ装置等のＯＡ機器には蓋部が設けられており、読取りガラスの清掃、給紙用セパレーターの交換等のメンテナンスや、紙詰まりを起こした場合の原稿の除去等は、この蓋部を開けることにより行われていた。この蓋部の開閉角度は、手を装置の奥まで入れて作業を行う必要から、かなり広くとられている。また、その際に、特開平７−３３６０６５のように、ファクシミリ装置等にストッパステーを設けて、その装置のカバーの開閉角度を複数段階に制御し、上記の作業を容易にできるようにしたものも提案されている。
ところが、作業終了後に蓋部を閉める動作の際指を挟む危険があるとともに、閉める際の振動、衝撃等により電子部品に悪影響を与える等の問題がある。
そこで、通常、蓋部の回動軸と本体との係合部にコイルばねを設け、閉蓋時の圧力や衝撃を緩和するという構成が採られている。
【０００３】
【発明が解決しようとする課題】
しかし、上記の構造のように、蓋部の回動軸にコイルばねを設けただけでは、蓋部の大きく開閉する場合には、蓋部を閉める動作の際に、依然として危険であり、蓋部を閉じる力によっては振動、衝撃も相当なものになる。また、操作性と緩衝性との双方を満足するばね圧の設定が装置強度との関係で必ずしも容易ではない。さりとて、低コスト化を要するＯＡ機器において、エアダンパや緩衝用の複雑な特殊機構を設けることも適当ではない。
本発明は、このような問題点に鑑みてなされたものであり、ファクシミリ装置等の蓋部を力を入れて閉めようとした場合でも蓋部がゆっくりと下がり、指を挟んだり、振動・衝撃等により電子部品に悪影響を与えることのない、低価格かつ簡易な構成の開閉装置を提供することを目的とする。
【０００４】
【課題を解決するための手段】
上記の目的を達成するために、請求項１記載の発明は、本体と、蓋部と、前記本体側に設けられた支持部材と前記蓋部側に設けられた支持部材とに係合し、開蓋状態で前記蓋部を停止させる第１保持部と閉蓋動作の途中で前記蓋部を一時的に停止させる第２保持部とを有する溝穴を形成してなるストッパと、を具備し、前記溝穴は、当該溝穴の内周部と前記本体側に設けられた支持部材との当接点が閉蓋動作に応じ前記第１保持部側から前記第２保持部側に移動するにつれて徐々に狭くなるように、前記本体側に設けられた支持部材と当接することにより弾性変形する上部アームと下部アームとの間の空間により形成し、前記上部アームと前記下部アームとのいずれか一方の肉厚を他方の肉厚より大きくなるように構成する。
このように、本体と、蓋部と、前記本体側に設けられた支持部材と前記蓋部側に設けられた支持部材とに係合し、開蓋状態で前記蓋部を停止させる第１保持部と閉蓋動作の途中で前記蓋部を一時的に停止させる第２保持部とを有する溝穴を形成してなるストッパと、を具備することにより、開蓋状態で蓋部を固定させることができるため、作業者が、読取りガラスの清掃、給紙用セパレーターの交換等のメンテナンスを容易に行うことができる。また、閉蓋動作の途中で蓋部を一旦停止させることができるため、衝撃、振動等による電子部品への悪影響を極力回避することができる。
【０００５】
また、前記溝穴は、当該溝穴の内周部と前記本体側に設けられた支持部材との当接点が閉蓋動作に応じ前記第１保持部側から前記第２保持部側に移動するにつれて徐々に狭くなるように形成することにより、仮に勢い良く閉蓋動作を行ったとしても、支持部材がストッパの変位を制動させ蓋部を減速させることができるため、衝撃、振動等による不都合を極力押さえることができる。
【０００６】
また、前記溝穴は、前記本体側に設けられた支持部材と当接することにより弾性変形する上部アームと下部アームとの間の空間により形成することにより、簡易な構成でストッパが蓋部の閉蓋動作を規制でき、弾性体の復元力により閉蓋時の蓋部の動作をより効果的に減速させることができる。また、その構造をより単純化することができ、ひいては装置の低価格化を実現することができる。
【０００７】
また、前記上部アームと前記下部アームとのいずれか一方の肉厚を他方の肉厚より大きくするように構成することにより、開蓋動作に応じて、本体側に設けられた支持部材が弾性変形し難いアームをなぞる状態で変位するため、溝穴の形状を変更することにより、閉蓋速度をある程度制御することができ、閉蓋時の衝撃、振動等を調整することが可能となる。
【０００８】
また、請求項２記載の発明は、請求項１記載の開閉装置において、第２保持部を溝穴の蓋側端部近傍に設けた構成を採っている。このように構成することにより、蓋部の閉蓋動作中一旦停止する位置を本体に近くさせることができるため、その後、完全に閉蓋する際の衝撃、振動等による電子部品に与える悪影響を極力小さくさせることができる。
【０００９】
【発明の実施の形態】
以下、本発明の実施の形態について、図を参照してさらに具体的に説明する。
図１は、本発明の開閉装置の蓋部が完全に閉まった状態を示す側面図である。
図１中、１は本体フレーム、２は本体カバー、３は蓋部フレーム４とトップカバー５から成る蓋部である。本体フレーム１と蓋部フレーム４とは軸６により、回動可能に支持されている。また、蓋部フレーム４の先端には、先端がかぎ状のラッチ７が設けられており、このラッチ７は、本体フレーム１に固定されたラッチピン８に係合している。蓋部フレーム４は、図示しない付勢手段により開蓋方向に付勢されているため、ラッチ７がラッチピン８に係合することにより蓋部３は、閉蓋状態で安定する。
【００１０】
９は蓋部３の開閉動作を規制するストッパであり、内部に溝穴１０が形成されている。このストッパ９は、蓋部フレーム４に設けられた支持部材たる第１係止ピン１１に回動自在に設けられており、その溝穴１０が本体フレーム１に設けられた支持部材たる第２係止ピン１２とスライド可能な状態で係合している。
【００１１】
更に、ストッパ９の溝穴１０は、その内側が平面である上部アーム１３と、その内側が凸状の曲面である下部アーム１４と、により形成される弓形の形状をしている。そして、溝穴１０の下方の端部には、最大開蓋状態での蓋部３の位置を決定するとともに、上部アーム１３と下部アーム１４との双方に設けられた突起部で第２係止ピン１２を挟持することにより、蓋部３を開蓋状態に保つ第１保持部１５が設けられている。また、溝穴１０の上方の端部側の上部アーム１３の内側には、開蓋動作に応じて変位する第２係止ピン１２を係止することにより、蓋部３を閉蓋直前の位置で一旦停止させ、閉蓋時の緩衝作用を果たす第２保持部１６が、設けられている。
【００１２】
また、溝穴１０を形成する上部アーム１３と下部アーム１４との間隔は、下方の第１保持部側から上方の第２保持部側に向かうにつれて徐々に狭くなるよう構成されている。従って、閉蓋動作中に、この溝穴１０が、その間を通過する第１係止ピン１２からの抵抗を受け、その結果、蓋部３の閉める速度を減少させる。
【００１３】
ここで、本実施の形態では、上部アーム１３よりも下部アーム１４の方が肉厚となっているが、このように構成することにより、下部アーム１４の方が上部アーム１３よりも大きく弾性変形して、第２係止ピン１２が下部アーム１４の凸状の平面に沿って、これをなぞる形で変位することとなる。従って、例えば、溝穴１０を第２保持部１６近傍で屈曲させるよう形成すれば、第２係止ピン１２の閉蓋時の軌跡もそれに追従するため、蓋部３の制動作用を大きくすることも可能となる。
【００１４】
尚、ストッパ１０の材質は、特に、ポリアセタール樹脂を採用するのが望ましい。ポリアセタール樹脂は、力学的性質が優れていて、エンジニアプラスチックとも呼ばれている。バネ弾性が優れているので、各種バネのように使用可能である。本実施例では、ストッパ１０の弓形部分を形成する上部アーム１３と下部アーム１４において、ポリアセタール樹脂のバネ弾性を、ストッパ１０をたわませるという形で利用している。
【００１５】
このように構成された本発明にかかる開閉装置の動作を、図１乃至図４を用いて説明する。
まず、図１は、蓋部３が完全に閉まった状態を示している。ここでは、ラッチ７とラッチピン８が係止して、閉蓋状態を保っている。
作業者が、蓋部３を開けて、読取りガラスの清掃、給紙用セパレーターの交換等のメンテナンスを行う場合には、本発明の開閉装置は、以下のように動作する。図２は、本発明の開閉装置の蓋部３が最大開蓋状態を示す断面図である。
【００１６】
作業者が、図示しない操作部を介してラッチ７を開放すると、蓋部３は、軸６を中心に上方に回動することが可能となる。ここで、蓋部３の最大開蓋範囲は、ストッパ９、第１係止ピン１１と、第１保持部１５と、第２係止ピン１２とにより決定される。すなわち、ストッパ９の一方は第２係止ピン１１により蓋部フレーム４に軸着されているが、ストッパ９の溝穴１０の下端部に設けられた第１保持部１２が第１係止ピン１２を保持することにより、蓋部３がストッパ９に最大開蓋状態で支えられることとなる。
【００１７】
作業者が作業を終えて、蓋部３を閉じる場合には、本発明の開閉装置は、以下のように動作する。図３は、蓋部３が閉まる途中でストッパ９が閉蓋速度を減じている状態を示す断面図であり、図４は、蓋部３が閉蓋直前で第１係止ピン１２が第２保持部１６に係合して一旦停止している状態を示す断面図である。
作業者が蓋部３を閉めようとすると、図３に示すように、第１保持部１５が、第１係止ピン１２を開放する。その後蓋部３が閉まるにつれて、ストッパ９は、第１係止ピン４と第２係止ピン５とを結ぶ直線上を移動しようとする。
【００１８】
しかし、溝穴９の下部アーム１４が凸型の形状をしており、しかも、溝穴９の形状が下方の第１保持部１５から上方の第２保持部１６の方向にいくにつれて徐々に狭く形成されているため、蓋部３が閉まって行くにつれて、第１係止ピン１２が下部アーム１４に圧力を加えるので、ストッパ９が、第１係止ピン１２と第２係止ピン１１とを結ぶ直線経路から外れる方向に変位しようとする。その結果、ポリアセタール樹脂により成形されたストッパ９のバネ弾性によって、上部アーム１３が圧力のかかる方向にたわみ、蓋部２を勢い良く閉めようとしても、ブレーキをかける作用を営むこととなる。
【００１９】
作業者が、更に蓋部３を閉じた場合には、図４に示すように、蓋部３は、第１係止ピン１２が溝穴１０の第２保持部１６に係合して一旦停止する。上述のように、溝穴１０自体の形状と、弾性体で形成されたストッパ９の上部アーム１３と下部アーム１４との復元力とにより、閉蓋速度が減じられた蓋部３は、溝穴１０の第２保持部１６が第１係止ピン１２と係合することにより一旦停止することとなる。
【００２０】
作業者が、更に閉蓋方向に力を加えると、上部アーム１３は更に上方に変形して第１係止ピン１２は第２保持部１６を乗り越える状態で、溝穴１０内の上方の端部近傍の形成された空間に移動する。これにより、ストッパ９は第１係止ピン１２から力を受けることがなくなり、蓋部３の先端部のラッチ７がラッチピン８に係合して、開閉装置は図１に示す初期の閉蓋状態に復帰する。
【００２１】
尚、この蓋部３の中間停止位置は、本体１と近いほど、蓋部３が第２保持部１６で一旦停止した後さらに蓋部３を勢い良く閉めても衝撃、振動、音等の発生を極力押さえることができる。この意味で、第２保持部１６の位置は、できるだけ溝穴１０の蓋側端部近傍に設けることが望ましい。
【００２２】
また、本実施の形態では、下部アーム１４と上部アーム１３とを異なる形状としたが、下部アーム１４を上部アーム１３と同様に平面的に形成してもよい。要は、ストッパ９に形成する溝穴１０の形状を、第１保持部１２から第２保持部１３への方向にいくにつれて、換言すれば、蓋部３を閉じるにつれて、徐々に間隔が小さくなるように構成すればその形状はいかなるものであってもよい。
【００２３】
更に、本実施の形態では、下部アーム１４の方をより肉厚としたが、これはいずれであってもよい。また、蓋部３の回転支点である軸６と、第１係止ピン１１と、第２係止ピン１２との位置関係は、第１係止ピン１１が内側にある場合を説明したが、逆に第２係止ピン１２を内側に位置させてもよい。
【発明の効果】
以上の説明から明らかなように、請求項１記載の発明によれば、開蓋状態で蓋部を固定させることができるため、作業者が、読取りガラスの清掃、給紙用セパレーターの交換等のメンテナンスを容易に行うことができる。また、閉蓋動作の途中で蓋部を一旦停止させることができるため、衝撃、振動等による電子部品への悪影響の発生を極力回避することができる。また、仮に勢い良く閉蓋動作を行ったとしても、支持部材がストッパの変位を制動させ蓋部を減速させることができるため、衝撃、振動等による不都合を極力押さえることができる。また、簡易な構成でストッパが蓋部の閉蓋動作を規制でき、弾性体の復元力により閉蓋時の蓋の動作をより効果的に減速させることができる。また、その構造をより単純化することができるため、ひいては装置の低価格化を実現することができる。また、開蓋動作に応じて、本体側に設けられた支持部材が弾性変形し難いアームをなぞる状態で変位するため、溝穴の形状を変更することにより、閉蓋速度をある程度制御することができ、閉蓋時の衝撃、振動等の調整することが可能となる。さらに、請求項２記載の発明によれば、蓋部の閉蓋動作中一旦停止する位置を本体にできるだけ近くさせることによって、その後、完全に閉蓋する際の衝撃、振動等の発生を極力小さくさせることができる。
【図面の簡単な説明】
【図１】本発明の開閉装置の側面図
【図２】本発明の開閉装置の側面図
【図３】本発明の開閉装置の側面図
【図４】本発明の開閉装置の側面図
【符号の説明】
１  本体
２  本体カバー
３  蓋部
４  蓋部フレーム
５  トップカバー
６  軸
７  ラッチ
８  ラッチピン
９  ストッパ
１０  溝穴
１１  第１係止ピン
１２  第２係止ピン
１３  上部アーム
１４  下部アーム
１５  第１保持部
１６  第２保持部
【図１】
0003897381.tif 000002
【図２】
0003897381.tif 000003
【図３】
0003897381.tif 000004
【図４】
0003897381.tif 000005